(57)【特許請求の範囲】
【請求項１】
内視鏡の挿入部先端に開口するチャンネルの基端が接続されて外方に向けて開口して操作部に配置されたシリンダの側面に一本の外部接続管が突設され、上記外部接続管と上記チャンネルとの連通状態を切り換え操作するための切換操作弁が上記シリンダに着脱自在に取り付けられた内視鏡の管路切換装置であって、
外部の給水タンクに接続される第２の外部接続管を上記切換操作弁に設けると共に、上記シリンダに突設された外部接続管には吸引チューブを接続し、待機状態においては上記チャンネルに対して上記第２の外部接続管だけが連通して上記チャンネルを通じて送水が行われ、上記切換操作弁を操作することにより上記チャンネルに対して上記シリンダに突設された外部接続管だけが連通して上記チャンネルを通じて吸引が行われるようにしたものにおいて、
上記チャンネルを通じて送水が行われる状態と吸引が行われる状態との中間位置に上記切換操作弁があるとき、上記チャンネルに対して上記二つの外部接続管がいずれも連通しない状態になることを特徴とする内視鏡の管路切換装置。
【請求項２】
上記シリンダの側面に突設された外部接続管が上記チャンネルと連通していない状態のときは、上記シリンダの側面に突設された外部接続管を大気と連通させるように上記切換操作弁が形成されている請求項１記載の内視鏡の管路切換装置。
【発明の詳細な説明】
【０００１】
【発明の属する技術分野】
この発明は、挿入部の先端に開口するチャンネルを有する内視鏡の管路切換装置に関する。
【０００２】
【従来の技術】
泌尿器用内視鏡や婦人科用内視鏡等においては、生理食塩水等を臓器内に注入しながら内視鏡検査を行う手技が用いられている。
【０００３】
図７は、汎用に広く用いられている細径の内視鏡１を示しており、挿入部２の先端に開口するチャンネル３の基端が接続されたシリンダ４が操作部５に配置されている。
【０００４】
シリンダ４は、操作部５に外方に向けて開口して配置されており、その側面に一本の外部接続管６が外方に向けて突設され、その外部接続管６とチャンネル３との連通状態を切り換え操作するための切換操作弁７が、シリンダ４に着脱自在に取り付けられている。８は、チャンネル３に処置具を挿入するための挿入口に取り付けられた鉗子栓である。
【０００５】
そのような細径内視鏡１を用いて、上述のように生理食塩水等を臓器内に注入しながら内視鏡検査を行う場合には、生理食塩水が入れられた給水タンク１００から降ろされた給水チューブ１０１を外部接続管６に接続し、切換操作弁７は外部接続管６とチャンネル３とを連通させる状態にする。
【０００６】
【発明が解決しようとする課題】
上述のような細径内視鏡のチャンネル３は送水チャンネルと吸引チャンネルを兼用しており、一般的な内視鏡検査の場合には、外部接続管６に吸引チューブを接続して必要に応じて吸引を行う使用法がとられる。
【０００７】
しかし、生理食塩水等を臓器内に注入しながら内視鏡検査を行う際にも、体内の汚液等を吸引したい場合が生じる。そのような場合、上述の従来の装置では、外部接続管６に接続されている給水チューブ１０１を一時的に吸引チューブに付け替えて再び元に戻す作業を行わなければならないので、取り扱いが非常に煩雑になってしまう。
【０００８】
そこで、給水チューブと吸引チューブとに各々独立して接続される二本の外部接続管をシリンダに並べて突設し、切換操作弁を操作することによって、吸引が行われる状態と生理食塩水が給水される状態とを切り換えできるようにしたものがある（実開平１−６５００４号）。
【０００９】
しかし、そのような細径内視鏡を用いると、使い勝手はよくなるものの、汎用に用いられている細径内視鏡を使用することができず、頻度の少ない使用目的のために専用の内視鏡が必要になるので経済性が悪くて実用性に欠ける。
【００１０】
そこで本発明は、汎用に用いられる細径内視鏡を使用して、生理食塩水等を臓器内に注入しながら内視鏡検査を行いつつ、必要に応じて吸引操作も容易に行うことができる内視鏡の管路切換装置を提供することを目的とする。
【００１１】
【課題を解決するための手段】
上記の目的を達成するため、本発明の内視鏡の管路切換装置は、内視鏡の挿入部先端に開口するチャンネルの基端が接続されて外方に向けて開口して操作部に配置されたシリンダの側面に一本の外部接続管が突設され、上記外部接続管と上記チャンネルとの連通状態を切り換え操作するための切換操作弁が上記シリンダに着脱自在に取り付けられた内視鏡の管路切換装置において、外部の給水タンクに接続される第２の外部接続管を上記切換操作弁に設けると共に、上記シリンダに突設された外部接続管には吸引チューブを接続し、待機状態においては上記チャンネルに対して上記第２の外部接続管だけが連通して上記チャンネルを通じて送水が行われ、上記切換操作弁を操作することにより上記チャンネルに対して上記シリンダに突設された外部接続管だけが連通して上記チャンネルを通じて吸引が行われるようにしたことを特徴とする。
【００１２】
なお、上記チャンネルを通じて送水が行われる状態と吸引が行われる状態との中間位置に上記切換操作弁があるとき、上記チャンネルに対して上記二つの外部接続管がいずれも連通しない状態になるようにしてもよい。
【００１３】
また、上記シリンダの側面に突設された外部接続管が上記チャンネルと連通していない状態のときは、上記シリンダの側面に突設された外部接続管を大気と連通させるように上記切換操作弁が形成されていてもよい。
【００１４】
【発明の実施の形態】
図面を参照して、本発明の実施の形態を説明する。
図３において、内視鏡１は、図７を参照して説明した汎用に用いられているものであり、挿入部２、チャンネル３、シリンダ４、操作部５、外部接続管６、及び鉗子栓８については、前述の説明の通りである。そして、シリンダ４に着脱自在な切換操作弁１０だけが付け替えられている。
【００１５】
図１は、そのシリンダ４と切換操作弁１０とを分離した状態を示しており、有底のシリンダ４の底面にチャンネル３の基端が開口接続され、シリンダ４の側面に外部接続管６が開口接続されている。６ａは、外部接続管６の先端に取り付けられた接続口金である。
【００１６】
切換操作弁１０には、シリンダ４内に差し込まれるピストン体１１が設けられていて、取り付け環１２に形成された係合ネジ１２ａを、シリンダ４の開口口元の外周に形成された雄ネジ４ａと係脱させることにより、切換操作弁１０をシリンダ４に対して固定／解除することができる。
【００１７】
取り付け環１２の内側には、支持盤１３がＣリング１８で押さえつけられた状態に取り付けられており、その支持盤１３の内側にピストン体１１の中間部分が軸線方向に進退自在に嵌挿されている。
【００１８】
II−II断面を示す図２にも示されるように、ピストン体１１の中間部分の外周面には軸線方向に四つの連通溝１１ａが形成されている。そして、ピストン体１１の外周には連通溝１１ａの両端近傍位置にシール用のＯリング１１ｂ，１１ｃが装着されている。また、ピストン体１１の軸線位置には貫通孔１１ｄが穿設されている。
【００１９】
ピストン体１１の外端部側に連結固定された操作釦座１５には、軸線位置に貫通孔１５ａが穿設されていて、ピストン体１１内の貫通孔１１ｄと真っ直ぐにつながっている。そして、操作釦座１５の側面には第２の外部接続管２０が突設されている。２０ａは、第２の外部接続管２０の先端に取り付けられた接続口金である。
【００２０】
操作釦座１５の突端面には、弾力性のあるゴム製の指あて部材１６が装着されている。傘状に形成された指あて部材１６の軸状部分は、操作釦座１５の貫通孔１５ａ内に緩く差し込まれた状態になっていて、貫通孔１５ａの入口部分を閉塞しており、ピストン体１１の貫通孔１１ｄと第２の外部接続管２０とは連通している。
【００２１】
操作釦座１５と支持盤１３との間には、圧縮コイルスプリング１７が挟着されていて、自然状態においては、支持盤１３と取り付け環１２に対してピストン体１１と操作釦座１５とが一体となって前方（図において左方）に向けて付勢されている。
【００２２】
このように構成された内視鏡の管路切換装置は、使用時には、図３に示されるように、切換操作弁１０がシリンダ４に取り付けられて、吸引装置２００から延びた吸引チューブ２０１がシリンダ４から突設されている外部接続管６に接続され、給水タンク１００から降ろされた給水チューブ１０１が第２の外部接続管２０に接続される。
【００２３】
図４は、切換操作弁１０が何ら操作されていない待機状態を示しており、この状態においては、ピストン体１１の先端に装着されたＯリング１１ｂが、シリンダ４の内周面に形成された括れ部４ｂの裏面に押し付けられていて、外部接続管６とチャンネル３との間が閉塞され、ピストン体１１の外面に形成された連通溝１１ａを介して、外部接続管６が大気に連通している。
【００２４】
その結果、外部接続管６には大気が吸引され、チャンネル３にはピストン体１１の貫通孔１１ｄ等を介して第２の外部接続管２０から生理食塩水が送り込まれ、挿入部２の先端から臓器内に連続的に生理食塩水が送水される。
【００２５】
そして、図５に示されるように、指あて部材１６を指先で軽く押すと、指あて部材１６の先端部分によってピストン体１１の貫通孔１１ｄが塞がれ、チャンネル３に対して二つの外部接続管６，２０が共に連通しない状態になる。したがって、挿入部２の先端から生理食塩水の送水も吸引も行われない。
【００２６】
さらに、図６に示されるように、指あて部材１６を強く押してピストン体１１をシリンダ４内に押し込むと、ピストン体１１の貫通孔１１ｄが指あて部材１６の先端で塞がれた状態は変わらず、Ｏリング１１ｂがシリンダ４の括れ部４ｂから離れて、シリンダ４に突設された外部接続管６がチャンネル３に連通する。
【００２７】
そして、それと同時に、ピストン体１１に取り付けられたもう一個のＯリング１１ｃによって連通溝１１ａと大気との間が閉塞された状態になり、チャンネル３を通じて挿入部２の先端から吸引が行われる。
【００２８】
【発明の効果】
本発明によれば、外部接続管が突設されたシリンダに着脱自在に取り付けられる切換操作弁に、外部の給水タンクに接続される第２の外部接続管を設け、シリンダに突設された外部接続管には吸引チューブを接続することにより、待機状態においてはチャンネルに対して第２の外部接続管だけが連通してチャンネルを通じて送水が行われ、切換操作弁を操作することによりチャンネルに対してシリンダに突設された外部接続管だけが連通して吸引が行われる。
【００２９】
したがって、汎用に用いられる細径内視鏡を使用して、切換操作弁を取り替えるだけで、生理食塩水等を臓器内に注入しながら内視鏡検査を行いつつ、必要に応じて吸引操作も容易に行うことができる。
【図面の簡単な説明】
【図１】本発明の実施の形態の内視鏡の管路切換装置のシリンダから切換操作弁が取り外された状態の側面断面図である。
【図２】本発明の実施の形態の内視鏡の管路切換装置の図１におけるII−II断面図である。
【図３】本発明の実施の形態の切換操作弁が取り付けられた内視鏡の全体構成を示す側面図である。
【図４】本発明の実施の形態の内視鏡の管路切換装置の送水状態を示す側面断面図である。
【図５】本発明の実施の形態の内視鏡の管路切換装置の送水も吸引も行われない状態を示す側面断面図である。
【図６】本発明の実施の形態の内視鏡の管路切換装置の吸引状態を示す側面断面図である。
【図７】従来の切換操作弁が取り付けられた状態の内視鏡の全体構成を示す側面図である。
【符号の説明】
３  チャンネル
４  シリンダ
５  操作部
６  外部接続管
１０  切換操作弁
１１  ピストン体
１２  取り付け環
１６  指あて部材
２０  第２の外部接続管
１００  給水タンク
１０１  給水チューブ
２００  吸引装置
２０１  吸引チューブ
【図１】
0004223602.tif 000002
【図２】
0004223602.tif 000003
【図３】
0004223602.tif 000004
【図４】
0004223602.tif 000005
【図５】
0004223602.tif 000006
【図６】
0004223602.tif 000007
【図７】
0004223602.tif 000008